【手続補正書】
【提出日】平成19年8月9日(2007.8.9)
【手続補正１】
【補正対象書類名】特許請求の範囲
【補正対象項目名】請求項１
【補正方法】変更
【補正の内容】
【請求項１】
誘電的に強く正である液晶成分Ａを含むことを特徴とする液晶媒体であって、該成分Ａは、式Ｉの化合物を１種または２種以上含み、
【化１】
2007503487.tif 000001
式中、
ａ、ｂ、ｃおよびｄは、相互に独立して０、１または２であり、ａ＋ｂ＋ｃ＋ｄ≦４であり；
Ｒ１１は、水素、１個〜１５個の炭素原子を有するアルキルまたはアルコキシ基であり、該アルキルまたはアルコキシ基の１つまたは２つ以上のメチレン基は、−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって相互に独立して置換されていてもよく、酸素および／または硫黄原子は相互に直接結合していず、該アルキルまたはアルコキシ基は無置換であるかまたは−ＣＮ基によって単置換されているか、またはハロゲンによって単置換もしくは多置換されていて；またはアリール、アリールオキシ、アルキルアリール、アルキルアリールオキシ、アルキルアリールアルキル、アルキルアリールアルコキシ、シクロアルキル、シクロアルキルオキシ、シクロアルキルアルケニルオキシ、アルキルシクロアルキル、アルキルシクロアルキルオキシまたはアルキルシクロアルキルアルケニルオキシであり、それぞれ１５個までの炭素原子を有し、該基は無置換であるかまたは−ＣＮ基によって単置換されているかもしくは、ハロゲンによって単置換または多置換されていて、１つまたは２つ以上の＝ＣＨ−基は相互に独立して＝Ｎ−によって置換されていてもよく、および／または１つまたは２つ以上の−ＣＨ２−基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、窒素および酸素および／または硫黄原子は相互に直接結合していず；
Ｌ１１、Ｌ１２、Ｌ１３およびＬ１４は、相互に独立して、水素、１個〜１５個の炭素原子を有するアルキルまたはアルコキシ基であり、該アルキルまたはアルコキシ基の１つまたは２つ以上のメチレン基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、酸素および／または硫黄原子は相互に直接結合していず、該アルキルまたはアルコキシ基は無置換であるかまたは−ＣＮによって単置換されているかもしくは、ハロゲンによって単置換または多置換されていて；またはアリール、アリールオキシ、アルキルアリール、アルキルアリールオキシ、アルキルアリールアルキル、アルキルアリールアルコキシ、シクロアルキル、シクロアルキルオキシ、シクロアルキルアルケニルオキシ、アルキルシクロアルキル、アルキルシクロアルキルオキシまたはアルキルシクロアルキルアルケニルオキシであり、それぞれ１５個までの炭素原子を有し、該基は無置換であるかまたは−ＣＮ基によって単置換されているかまたはハロゲンによって単置換または多置換されていて、１つまたは２つ以上の＝ＣＨ−基は相互に独立して＝Ｎ−によって置換されていてもよく、および／または１つまたは２つ以上の−ＣＨ２−基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、窒素および酸素および／または硫黄原子は相互に直接結合していず；
少なくともＬ１１およびＬ１２の一方が水素でないとき、Ｌ１３およびＬ１４は水素であり；少なくともＬ１３およびＬ１４の一方が水素でないとき、Ｌ１１およびＬ１２は水素であり；Ｌ１１、Ｌ１２、Ｌ１３およびＬ１４の少なくとも１つは水素ではなく；およびＬ１１およびＬ１２は同時には、ハロゲンではなく；
Ｘ１１は、Ｈ、ハロゲン、−ＣＮ、−ＮＣＳ、−ＳＦ５、−Ｓ−Ｒｚ、−ＳＯ２−Ｒｚ、１個〜１５個の炭素原子を有するアルキルまたはアルコキシ基であり、該アルキルまたはアルコキシ基の１つまたは２つ以上のメチレン基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、酸素および／または硫黄原子は相互に直接結合していず、該アルキルまたはアルコキシ基は無置換であるかまたは−ＣＮ基によって単置換されているかまたはハロゲンによって単置換または多置換されていて；またはアリール、アリールオキシ、アルキルアリール、アルキルアリールオキシ、アルキルアリールアルキル、アルキルアリールアルコキシ、シクロアルキル、シクロアルキルオキシ、シクロアルキルアルケニルオキシ、アルキルシクロアルキル、アルキルシクロアルキルオキシまたはアルキルシクロアルキルアルケニルオキシであり、それぞれ１５個までの炭素原子を有し、該基は無置換であるかまたは−ＣＮ基によって単置換されているかまたはハロゲンによって単置換または多置換されていて、１つまたは２つ以上の＝ＣＨ−基は相互に独立して＝Ｎ−によって置換されていてもよく、および／または１つまたは２つ以上の−ＣＨ２−基は、相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、窒素および酸素および／または硫黄原子は相互に直接結合していず；
ＲｘおよびＲｙは、相互に独立して水素または１個〜７個の炭素原子を有するアルキル基であり、
Ｒｚは、１個〜７個の炭素原子を有するアルキル基であり、該アルキル基は無置換であるかまたはハロゲンによって単置換または多置換されていて； 
Ａ１１、Ａ１２、Ａ１３およびＡ１４は、相互に独立して下記式の環の１つであり：
【化２】
2007503487.tif 000002
Ａ１１、Ａ１２、Ａ１３およびＡ１４は、２個以上存在する場合、それぞれ同一の環でもよくまたは２つの異なる環でもよく；
Ｙ１１、Ｙ１２、Ｙ１３およびＹ１４は、水素、ハロゲン、１〜１５個の炭素原子を有するアルキルまたはアルコキシ基であり、該アルキルまたはアルコキシ基の１つまたは２つ以上のメチレン基は、−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって相互に独立して置換されていてもよく、酸素および／または硫黄原子は相互に直接結合していず、該アルキルまたはアルコキシ基は無置換であるか、またはハロゲンによって単置換もしくは多置換されていて；またはアリール、アリールオキシ、アルキルアリール、アルキルアリールオキシ、アルキルアリールアルキル、アルキルアリールアルコキシ、シクロアルキル、シクロアルキルオキシ、シクロアルキルアルケニルオキシ、アルキルシクロアルキル、アルキルシクロアルキルオキシまたはアルキルシクロアルキルアルケニルオキシであり、それぞれ１５個までの炭素原子を有し、該基は無置換であるかまたは−ＣＮ基によって単置換されているかもしくは、ハロゲンによって単置換または多置換されていて、１つまたは２つ以上の＝ＣＨ−基は相互に独立して＝Ｎ−によって置換されていてもよく、および／または１つまたは２つ以上の−ＣＨ２−基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、窒素および酸素および／または硫黄原子は相互に直接結合していず；
ｆ、ｇ、ｈおよびｊは、相互に独立して０、１、２または３であり；
Ｚ１１、Ｚ１２、Ｚ１３およびＺ１４は、相互に独立して単結合、−ＣＨ２ＣＨ２−、（−ＣＨ２ＣＨ２−）２、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＨ２Ｏ−、−ＯＣＨ２−、−ＣＦ２Ｏ−、−ＯＣＦ２−、−ＣＯ−Ｏ−または−Ｏ−ＣＯ−であり、Ｚ１１、Ｚ１２、Ｚ１３およびＺ１４のそれぞれは、２個以上存在する場合、同一の意味でもまたは異なる意味でもよい。
【手続補正２】
【補正対象書類名】明細書
【補正対象項目名】００２０
【補正方法】変更
【補正の内容】
【００２０】
Ｙ１１、Ｙ１２、Ｙ１３およびＹ１４は、水素、ハロゲン、１〜１５個の炭素原子を有するアルキルまたはアルコキシ基であり、該アルキルまたはアルコキシ基の１つまたは２つ以上のメチレン基は、−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって相互に独立して置換されていてもよく、酸素および／または硫黄原子は相互に直接結合していず、該アルキルまたはアルコキシ基は無置換であるか、または、ハロゲンによって単置換もしくは多置換されていて；またはアリール、アリールオキシ、アルキルアリール、アルキルアリールオキシ、アルキルアリールアルキル、アルキルアリールアルコキシ、シクロアルキル、シクロアルキルオキシ、シクロアルキルアルケニルオキシ、アルキルシクロアルキル、アルキルシクロアルキルオキシまたはアルキルシクロアルキルアルケニルオキシであり、それぞれ１５個までの炭素原子を有し、該基は無置換であるかまたは−ＣＮ基によって単置換されているかもしくは、ハロゲンによって単置換または多置換されていて、１つまたは２つ以上の＝ＣＨ−基は相互に独立して＝Ｎ−によって置換されていてもよく、および／または１つまたは２つ以上の−ＣＨ２−基は相互に独立して−Ｏ−、−Ｓ−、−ＳｉＲｘＲｙ−、−ＣＨ＝ＣＨ−、−Ｃ≡Ｃ−、−ＣＯ−Ｏ−および／または−Ｏ−ＣＯ−によって置換されていてもよく、窒素および酸素および／または硫黄原子は相互に直接結合していず；